(57)【要約】【課題】患者の状況毎に不正アクセスの検出率を高め、不正アクセスを低減する情報管理装置を提供する。【解決手段】患者情報を保管したデータベースへのアクセスを制御するため、患者の状況を管理する患者状況管理部と、患者の状況毎に関連する複数のグループを設定し、それぞれのグループ毎にアクセス権限の重み付け値を付して管理する重み付け管理部と、患者の状況毎にアクセス境界値を設定しアクセス可能な重み付けの境界値を管理するアクセス境界値管理部と、データベースの患者情報に対するアクセス要求があったときに、患者の状況情報を取得し患者の状況に応じてアクセス要求元に設定された重み付け値とアクセス境界値とを比較し、データベースへのアクセスの許可又は拒否を行うアクセス判断部と、を具備する。【選択図】  図２
2008269312.tif 000002
【特許請求の範囲】
【請求項１】
患者情報を保管したデータベースへのアクセスを制御する情報管理装置であって、
患者の病院内での状況を管理する患者状況管理部と、
前記患者の状況毎に関連する担当部門又は担当者で構成する複数のグループを設定し、それぞれのグループ毎にアクセス権限の重み付け値を付して管理する重み付け管理部と、
前記患者の状況毎にアクセス境界値を設定し、アクセス可能な重み付けの境界値を管理するアクセス境界値管理部と、
前記データベースの患者情報に対するアクセス要求があったときに、前記患者状況管理部から該当する患者の状況情報を取得し、患者の状況に応じてアクセス要求元に設定された前記重み付け値と前記アクセス境界値とを比較し、前記データベースへのアクセスの許可又は拒否を行うアクセス判断部と、を具備してなる情報管理装置。
【請求項２】
前記データベースへのアクセス状況を示す情報を収集するアクセス状況収集部と、
前記アクセス状況収集部によるアクセス状況の収集結果をもとに、前記患者情報別に前記グループ毎のアクセス数を表示する表示部と、を有して成ることを特徴とする請求項１記載の情報管理装置。
【請求項３】
前記アクセス数の表示は、前記グループ毎の単位時間内のアクセス数を表示することを特徴とする請求項２記載の情報管理装置。
【請求項４】
前記表示部は、アクセス総数をアクセスグループ数で除算した平均値をもとに、アクセス数の多いグループを識別表示することを特徴とする請求項２記載の情報管理装置。
【請求項５】
前記アクセス境界値を変更可能にするアクセス境界値設定部を有することを特徴とする請求項１記載の情報管理装置。
【請求項６】
前記患者状況管理部は、前記患者の状況として、患者が検査、治療中、回復期等の複数の段階のいずれにあるかを示す情報を管理することを特徴とする請求項１記載の情報管理装置。
【請求項７】
前記重み付け管理部は、患者の状況に応じて主担当グループの重み付け値を高く設定することを特徴とする請求項１記載の情報管理装置。
【請求項８】
前記重み付け管理部は、患者の状況毎に予めグループ毎の重み付けの初期値を設定したテーブルを有し、この初期値を基準にして重み付け値を決定することを特徴とする請求項１記載の情報管理装置。
【請求項９】
前記データベースはネットワークに接続されており、前記複数のグループは、前記ネットワークを介して前記データベースにアクセス可能な、病院内又は病院外を含む複数のグループで構成されたことを特徴とする請求項１記載の情報管理装置。
【請求項１０】
患者情報を保管したデータベースへのアクセスを制御する情報管理装置であって、
患者の病院内での状況を管理する患者状況管理部と、
前記患者の状況毎に関連する担当部門又は担当者で構成する複数のグループを設定し、それぞれのグループ毎にアクセス権限の重み付け値を付して管理する重み付け管理部と、
前記患者の状況毎にアクセス境界値を設定し、このアクセス境界値を変更可能なアクセス境界値設定部と、
前記患者の状況毎に設定された前記アクセス境界値をもとに、アクセス可能な重み付けの境界値を管理するアクセス境界値管理部と、
前記データベースの患者情報に対するアクセス要求があったときに、前記患者状況管理部から該当する患者の状況情報を取得し、患者の状況に応じてアクセス要求元に設定された前記重み付け値と前記アクセス境界値とを比較し、前記データベースへのアクセスの許可又は拒否を行うアクセス判断部と、
前記データベースへのアクセス状況を示す情報を収集するアクセス状況収集部と、
前記アクセス状況収集部によるアクセス状況の収集結果をもとに、前記患者情報別に前記グループ毎のアクセス数を表示する表示部と、
を具備してなる情報管理装置。
【請求項１１】
患者情報を保管したデータベースへのアクセスを制御するためのアクセス制御プログラムであって、コンピュータに、
患者の病院内での状況を管理する患者状況管理機能と、
前記患者の状況毎に関連する担当部門又は担当者で構成する複数のグループが設定されたとき、それぞれのグループ毎にアクセス権限の重み付け値を付して管理する重み付け管理機能と、
前記患者の状況毎にアクセス境界値を設定し、このアクセス境界値を変更可能なアクセス境界値設定機能と、
前記患者の状況毎に設定された前記アクセス境界値をもとに、アクセス可能な重み付けの境界値を管理するアクセス境界値管理機能と、
前記データベースの患者情報に対するアクセス要求があったときに、前記患者の状況情報を取得し、患者の状況に応じてアクセス要求元に設定された前記重み付け値と前記アクセス境界値とを比較し、前記データベースへのアクセスの許可又は拒否を行うアクセス判断機能と、
を実現させるためのアクセス制御プログラム。
【請求項１２】
さらに、前記データベースへのアクセス状況を示す情報を収集するアクセス状況収集機能と、前記アクセス状況収集部によるアクセス状況の収集結果をもとに、前記患者情報別に前記グループ毎のアクセス数を表示するための機能を実現させることを特徴とする請求項１１記載のアクセス制御プログラム。
【発明の詳細な説明】
【技術分野】
【０００１】
本発明は、病院等で扱う患者の個人情報等を保護するための情報管理装置及びアクセス制御プログラムに関するもので、不正アクセスによる個人情報の漏洩を低減するものである。
【背景技術】
【０００２】
一般に、病院等の機関では、Ｘ線ＣＴ装置やＭＲＩ装置等の画像診断装置で撮影して得た医用画像情報を、ネットワークに接続された医用画像サーバに保管・管理し、医師等が必要に応じて画像観察端末等を通じて医用画像サーバにアクセスし、医用画像情報を画像観察端末に表示して観察できるようにしている。
【０００３】
一方、病院内では、患者の個人情報の流出・漏洩を防止するため、特定のユーザ(医師、技師、看護師等)に対してのみアクセス権限を与え、アクセス権のないユーザが医用画像サーバにアクセスするのを阻止するようにしている。
【０００４】
特許文献１には、コンピュータシステムへの不正侵入を防止する不正ログイン検出装置について記載されている。この例は、ユーザがシステムにログインする時間帯がある程度固定的であることを利用して、統計に反した時間帯にログインされた場合に不正ログインであると判断するものである。
【０００５】
また特許文献２には、医用分野における不正アクセス監視システムについ記載されている。この例では、ユーザ登録されていない緊急ユーザのログイン回数、ログイン時間、ログイン中に検査画像を参照した回数等を集計して解析し、不正アクセスの有無を監査するものである。
【０００６】
しかしながら、特許文献１及び２の例では、アクセス権限のないユーザによる不正アクセスの判定には有効であるが、アクセス権限を有するユーザの不正アクセスを防止することはできない。
【０００７】
一般に、病院では、主治医が属する診療科や関連する部門の特定のグループ又は個人に対し、アクセス権限を与えている。例えば、入院患者等は、患者の状況（受付、検査、診断、治療、回復期等）によって、患者情報にアクセスする必要のあるグループ（放射線科、臨床検査科、内科、外科、看護、介護等）が異なる。
【０００８】
その一方で、著名人が入院した場合などは、アクセス権限を有するユーザが治療や診断以外の目的でアクセスすることも考えられ、一時的に不正アクセスが増加することが懸念される。また特許文献１、２の記載例では、単位時間内でのアクセス数を元にして不正アクセスの検出を行うため、正当なアクセスを不正アクセスとして誤検出する可能性もある。
【０００９】
したがって、このような場合は、アクセス権限の設定をし直す等、システム管理者側の手間が発生する。
【特許文献１】特開２００２−２９７５４３号公報
【特許文献２】特開２００６−１９５６３４号公報
【発明の開示】
【発明が解決しようとする課題】
【００１０】
従来の病院システムでは、著名人が入院した場合など、アクセス権限を有するユーザが診断・治療等の目的以外にデータベースにアクセスして患者情報を入手する場合も考えられ、一時的に不正アクセスが増加することが懸念される。このため、アクセス権限の設定をし直す必要があり、システム管理者側に不要な手間が発生するという問題があった。
【００１１】
本発明は上記事情に鑑みて成されたもので、患者の状況毎に不正アクセスの検出率を高め、かつ不正アクセスを低減する情報管理装置及びアクセス制御プログラムを提供することを目的とする。
【課題を解決するための手段】
【００１２】
請求項1記載の本発明は、患者情報を保管したデータベースへのアクセスを制御する情報管理装置であって、患者の病院内での状況を管理する患者状況管理部と、前記患者の状況毎に関連する担当部門又は担当者で構成する複数のグループを設定し、それぞれのグループ毎にアクセス権限の重み付け値を付して管理する重み付け管理部と、前記患者の状況毎にアクセス境界値を設定し、アクセス可能な重み付けの境界値を管理するアクセス境界値管理部と、前記データベースの患者情報に対するアクセス要求があったときに、前記患者状況管理部から該当する患者の状況情報を取得し、患者の状況に応じてアクセス要求元に設定された前記重み付け値と前記アクセス境界値とを比較し、前記データベースへのアクセスの許可又は拒否を行うアクセス判断部と、を具備してなることを特徴とする。
【００１３】
また、請求項１０記載の本発明は、患者情報を保管したデータベースへのアクセスを制御する情報管理装置であって、患者の病院内での状況を管理する患者状況管理部と、前記患者の状況毎に関連する担当部門又は担当者で構成する複数のグループを設定し、それぞれのグループ毎にアクセス権限の重み付け値を付して管理する重み付け管理部と、前記患者の状況毎にアクセス境界値を設定し、このアクセス境界値を変更可能なアクセス境界値設定部と、前記患者の状況毎に設定された前記アクセス境界値をもとに、アクセス可能な重み付けの境界値を管理するアクセス境界値管理部と、前記データベースの患者情報に対するアクセス要求があったときに、前記患者状況管理部から該当する患者の状況情報を取得し、患者の状況に応じてアクセス要求元に設定された前記重み付け値と前記アクセス境界値とを比較し、前記データベースへのアクセスの許可又は拒否を行うアクセス判断部と、前記データベースへのアクセス状況を示す情報を収集するアクセス状況収集部と、前記アクセス状況収集部によるアクセス状況の収集結果をもとに、前記患者情報別に前記グループ毎のアクセス数を表示する表示部と、を具備してなることを特徴とする。
【００１４】
さらに請求項１１の本発明は、患者情報を保管したデータベースへのアクセスを制御するためのアクセス制御プログラムであって、コンピュータに、患者の病院内での状況を管理する患者状況管理機能と、前記患者の状況毎に関連する担当部門又は担当者で構成する複数のグループが設定されたとき、それぞれのグループ毎にアクセス権限の重み付け値を付して管理する重み付け管理機能と、前記患者の状況毎にアクセス境界値を設定し、このアクセス境界値を変更可能なアクセス境界値設定機能と、前記患者の状況毎に設定された前記アクセス境界値をもとに、アクセス可能な重み付けの境界値を管理するアクセス境界値管理機能と、前記データベースの患者情報に対するアクセス要求があったときに、前記患者の状況情報を取得し、患者の状況に応じてアクセス要求元に設定された前記重み付け値と前記アクセス境界値とを比較し、前記データベースへのアクセスの許可又は拒否を行うアクセス判断機能と、を実現させることを特徴とする。
【発明の効果】
【００１５】
本発明によれば、不正アクセスによる患者情報の漏洩を低減することができる。また不正アクセスの検出を容易にするとともに、不正アクセスがあった場合に不正アクセスの検知精度を高め、誤検出の可能性を低く抑えることができる。
【発明を実施するための最良の形態】
【００１６】
以下、この発明の一実施の形態について図面を参照して詳細に説明する。
【実施例１】
【００１７】
図１は、本発明の情報管理装置を適用した医用システムの全体的な構成を示す図である。
【００１８】
病院内の各部門間では、ＨＩＳ（Hospital Information System ）と呼ばれる病院情報システムが構築されている。また放射線部門でのＲＩＳ（Radiology Information System）と呼ばれる情報システムや、ＰＡＣＳ（Picture Archiving Communication System）等の画像ファイル通信保管システムが構築され、情報伝達のオンライン化が図られている。
【００１９】
図１において、１００はＨＩＳであり、サーバ１１０と、部門毎の端末装置１２０，１３０…がネットワーク１５０を介して接続されている。部門としては、診察部門（内科、外科、整形外等）、薬剤部門、会計部門等がある。サーバ１１０は、患者情報（氏名、生年月日等の情報、医用画像データ等）を保存するデータベース１０１と、データベース１０１へのアクセスを管理する管理装置１０２を有している。
【００２０】
また、２００はＲＩＳであり、サーバ２１０と、放射線部門の端末装置２２０，２３０、医用画像診断装置２４０，２５０がネットワーク２６０を介して接続されている。医用画像診断装置２４０，２５０としては、Ｘ線撮影装置やＸ線ＣＴ装置等があり、サーバ２１０には撮影した患者の画像データ等が保存される。
【００２１】
ＨＩＳ１００においては、端末装置１２０，１３０を介して、関係する部門のアクセス権限を有する担当者がサーバ１１０にアクセスして、患者の情報を入手することができる。またＲＩＳ２００においても、端末装置２４０，２５０を介して、関係する放射線部門のアクセス権限を有する担当者がサーバ２１０にアクセスして、患者の情報を入手することができる。
【００２２】
本発明は、例えばＨＩＳ１００において、データベース１０１へのアクセスを管理する管理装置１０２に特徴があり、管理装置１０２の管理のもとにデータベース１０1への不正アクセスを低減するものである。
【００２３】
図２は、管理装置１０２の全体的な構成を示すブロック図である。図２において、データベース１０１には、患者毎の情報（撮影された画像データや氏名、生年月日、ＩＤ等の各種の情報）が保存されており、端末装置１２０，１３０（図１）から管理装置１０２を介してデータベース１０１にアクセスすることにより、患者の情報を取得することができる。
【００２４】
管理装置１０２は、コンピュータを構成するものであり、システム全体の制御を行う制御部１０を有する。制御部１０は、ＣＰＵ等を含み、記憶部１１に格納されたプログラムにしたがって各部の動作を制御する。
【００２５】
管理装置１０２は、制御部１０のほかに、患者状況管理部１２、アクセス境界値管理部１３、重み付け管理部１４、アクセス判断部１５、アクセス境界値設定部１６、アクセス状況収集部１７を有している。また制御部１０には入力部１８と表示部１９が接続されている。
【００２６】
入力部１８と表示部１９は、１つの画像端末装置に組み込まれるものであり、入力部１８は、マウスやキーボード等で構成され、医師等のユーザによって操作可能であり、各種の指示を与えたり、各種の設定値を入力することができる。また表示部１９は、例えば液晶ディスプレイで構成される。
【００２７】
患者状況管理部１２は、データベース１０１に保存された該当患者の個人情報に対し、現時点での患者の状況、例えば、受付、検査、診断、治療準備、治療中、回復期、退院等の患者の状況情報を管理するものである。
【００２８】
重み付け管理部１４は、患者の状況毎に、主治医が属する診療科や関係する部門等のグループ毎にアクセス権限の重み付け値を設定して管理するものである。グループとしては、内科、放射線科、外科、臨床検査科、看護、介護、経理等のグループが想定される。また個人の担当者がグループの１つを構成する場合もある。
【００２９】
アクセス境界値管理部１３は、現時点での患者の状況に関連付けて、グループ毎に設定されたアクセス境界値を管理するもので、アクセス境界値を超える重み付け値が設定されたグループに対してのみ、データベース１０１へのアクセスを可能にする。
【００３０】
アクセス判断部１５は、端末装置１２０，１３０からのアクセス要求を判断するものであり、アクセス境界値設定部１６は、アクセス境界値の設定を行うもので、患者の状況に応じてアクセス境界値の変更を行う。
【００３１】
また、アクセス状況収集部１７は、患者毎のアクセス数を収集するものであり、単位時間内のアクセス数を元に、患者の状況毎、アクセスグループ毎のアクセス数を収集するものである。収集した結果は、表示部１９に例えばグラフィック表示される。また、表示部１９に表示する際、患者の状況毎にアクセス境界値と重み付け値を合わせて表示することも可能である。
【００３２】
尚、グループ毎の重み付け値、アクセス境界値等は管理者が入力部１８を操作することにより、任意に設定することができる。
【００３３】
次に図２の本発明の情報管理装置の動作について説明する。
【００３４】
端末装置１２０，１３０から、患者Ａに関する個人情報のアクセス要求があると、アクセス判断部１５は、患者状況管理部１２に対し、該当患者Ａの現時点での患者の状況（検査中、治療中等）の情報を取得する。また重み付け管理部１４から、患者の状況に合せて設定されたアクセスグループ毎の重み付け値を取得し、アクセス境界値管理部１３から、現時点での患者の状況に応じて設定されたアクセス境界値を取得する。
【００３５】
さらに、これらの情報を元に、アクセス判断部１５は、アクセス要求内に含まれる要求元情報から、要求元のグループに付された重み付け値とアクセス境界値を比較し、アクセス要求を許可するか否かの判断を行う。
【００３６】
要求元の重み付け値がアクセス境界値よりも大きい場合は、アクセス要求を許可し、データベース１０１へのアクセスを許可する。また要求元の重み付け値がアクセス境界値よりも小さい場合は、アクセス要求を拒否し、データベース１０１へのアクセスを禁止する。こうしてアクセス境界値を超える重み付け値が設定されたグループのみがアクセス可能となる。
【００３７】
また、入力部１８を介して管理者がアクセス状況の表示要求を入力すると、アクセス状況収集部１７は、患者の状況毎に単位時間内のアクセス数を収集し、アクセスグループ毎のアクセス数を表示部１９に表示する。表示結果は、患者の状況別にアクセスグループ毎に区分して表示される。そして、表示結果を観察することによって不正アクセスがあったか否かを分析することができる。
【００３８】
次に具体的な表示例について説明する。
【００３９】
図３は、重み付け管理部１４によって、特定患者Ａに関して設定された重み付け値の例を示したものである。この例では、主治医が属する主治医グループ（例えば内科グループ)は、重み付け値１００であり、関連する放射線科グループは重み付け値５０である。また看護グループは重み付け値１０であり、介護のグループは重み付け値１に設定している。また、アクセス境界値はデフォルト値の０となっている。
【００４０】
図４は、各部門の重み付け値が図３と同じであり、アクセス境界値を変更した場合を示している。この場合、アクセス境界値は２０に変更されている。
【００４１】
図５は、患者情報Ａ〜Ｅに対するアクセス数を示す図であり、グラフ（ａ）の横軸は患者情報を示し、縦軸はグループ別の単位時間内のアクセス数を示している。また各患者の状況は治療中であり、アクセスグループとしては、内科グループ、放射線科グループ、看護グループ、介護グループを示している。
【００４２】
また、図５（ｂ）の表は、患者情報別のアクセス境界値と、グループ別に設定した重み付け値の例を示している。例えば患者情報Ａに関しては、主治医、放射線科、看護、介護の各グループの重み付け値は、それぞれ１００，５０，１０，１となっており、アクセス境界値は各グループともデフォルト値の０になっている。
【００４３】
この例によれば、患者情報Ｂ，Ｃに対するアクセス数が他よりも多く、かつ内科や放射線科グループのアクセス数に対して、重み付け値の低い看護、介護の２グループによるアクセスが異常に多いことが分かる。したがって、看護、介護の２グループから、本来の目的外のアクセス（不正アクセス）が行われていることが推察できる。しかしながら、これらのアクセスが不正アクセスによるものか、正当なアクセスによるものかを正確に把握することは難しい。また、不正アクセスを防止することは難しい。
【００４４】
これに対して、図６のようにグループ毎にアクセス境界値を変更した場合は、アクセス数に変化が現れる。例えば、図６（ｂ）の表で示すように、患者情報Ｂ，Ｃに関するアクセス境界値をそれぞれ２０に変更すると、重み付け値がアクセス境界値２０よりも低い看護、介護の両グループからアクセス要求があっても、アクセス判断部１５によってアクセスが拒否されるため、単位時間当たりのアクセス数は激減する。
【００４５】
尚、単位時間としては、例えば午前中や午後といった時間帯や、１時間、２時間、或いは１日、１週間といった単位でも良く、アクセス状況に応じて任意に設定することができる。
【００４６】
したがって、不正アクセスの兆候がある場合、管理者はアクセス境界値を変更することにより、不正アクセスを低減することができる。
【００４７】
また、表示部１９での表示形態としては、図５の患者情報Ｂに対するアクセス数のように、特異なグラフについては他と識別して表示するようにしても良い。例えば、単位時間内でのアクセス総数をアクセスグループ数で除算した平均値を算出し、その平均値を超えるアクセス数の多いグループについてはワーニング表示する等の方法が考えられる。
【００４８】
尚、図５，図６の例は、患者の状況が「治療中」の場合を表示したものであるが、他の状況（受付、検査、診断、回復、退院等）の場合も同様に、重み付け値、アクセス境界値に応じて、グループ別にアクセス数を表示することができる。また、グループとしては、上記した例に限らず、病院内の他の診療科や、病院間で患者情報を参照する場合を想定して病院外のグループ（関連病院）に対しても重み付け値及びアクセス境界値を設定することもできる。
【００４９】
こうして、重み付け値及びアクセス境界値を患者の状況に応じて設定することにより、不正アクセスを低減することができる。例えば、著名人が入院した場合などは、アクセス権限を有するユーザが治療や診断以外の興味本位の目的でアクセスすることも考えられるが、このような場合であっても不正アクセスを低減することができる。
【００５０】
尚、以上の説明では、図５，図６の表（ｂ）のように患者の状況毎に各グルーブに重み付け値を設定する場合を説明したが、図７で示すように患者の状況別に予めグループ毎の重み付けの初期値を設定したテーブルを有し、この初期値を基準にして各ステージでの重み付け値や、アクセス境界値を変更するようにしても良い。
【００５１】
患者の状況毎に重み付け値や、アクセス境界値を変えるのは、患者の状況によって主担当部門が変わるためである。例えば、治療中であれば内科、放射線科グループといった治療部門が主担当となり、回復時には看護や介護グループが主担当となる。また、退院時には経理グループが関連することになる。したがって患者の状況毎に重み付け値や、アクセス境界値を設定することには意義がある。
【００５２】
このように本発明では、患者の状況毎、及びアクセスが想定されるグループ毎（又は個人毎）に重み付け値を設定することにより、不正アクセス元を推測することができる。また必要に応じてアクセス境界値を変更することにより、不正アクセスを低減するとともに、不正アクセスの検知精度を高めることができる。
【００５３】
しかも、アクセス境界値を変更するという簡単な作業により、不正アクセスを低減することができるため、管理者等の手間を煩わせることもない。
【００５４】
尚、以上の説明では、ＨＩＳ１００について、本発明の情報管理装置を適用した例を説明したが、ＲＩＳ２００等の他の医用システムに適用することもでき、応用範囲は上述した例に限定されるものではない。また、プログラムを格納する記憶部１１としては、ＣＤ−ＲＯＭ、ＤＶＤ、磁気ディスク、半導体メモリ等の記憶媒体を用いることができる。
【００５５】
また以上の説明に限定されることなく、特許請求の範囲を逸脱しない範囲で種々の変形が可能である。
【図面の簡単な説明】
【００５６】
【図１】本発明の情報管理装置を含む病院システムの構成を示すネットワーク図。
【図２】本発明の情報管理装置の具体的な構成を示すブロック図。
【図３】同実施形態での重み付け値及びアクセス境界値の設定例を示す説明図。
【図４】同実施形態でのアクセス境界値の変更例を示す説明図。
【図５】同実施形態でのアクセス状況の収集例を示す説明図。
【図６】同実施形態でアクセス境界値を変更したときのアクセス状況の収集例を示す説明図。
【図７】同実施形態での重み付け値及びアクセス境界値の初期値例を示す説明図。
【符号の説明】
【００５７】
１０…制御部、
１１…記憶部
１２…患者状況管理部
１３…アクセス境界値管理部
１４…重み付け管理部
１５…アクセス判断部
！６…アクセス境界値設定部
１７…アクセス状況収集部
１８…入力部
１９…表示部
１００…ＨＩＳ
１０１…患者情報データベース
１０２…情報管理装置
１１０…サーバ
１２０，１３０…端末装置
２００…ＲＩＳ
【図１】
2008269312.tif 000003
【図２】
2008269312.tif 000004
【図３】
2008269312.tif 000005
【図４】
2008269312.tif 000006
【図５】
2008269312.tif 000007
【図６】
2008269312.tif 000008
【図７】
2008269312.tif 000009